(57)【要約】【課題】色が周期的に変動する被写体の撮影時に正確な色調で適正に露光した撮像画像を得ることができる撮像装置を提供する。【解決手段】撮像装置１は、調光センサ１１で得られた色順次式プロジェクタにおける投影画像の反射光量である出力Ａを元に、光量判定部３２ｂで適正な光量による露光の検出と、周期検出部３２ｃで被写体の周期的な色変動の検出を行い、撮影開始時の色のタイミングに合わせた露光制御を行う。【選択図】図２
2006186723.tif 000002
【特許請求の範囲】
【請求項１】
少なくともＲＧＢの３原色を含む投射色を周期的に順次切換える色順次式プロジェクタから投影されたスクリーンからの反射光を光学的に取得する撮像装置であって、
前記スクリーンからの反射光の光量を測定し光量測定信号を出力する光量測定手段と、
前記光量測定信号に基づいて前記スクリーンからの反射光の光量を撮影開始後から積分し、その積分光量値が予め定められた基準光量値に達したか否かを判定し、前記積分光量値が当該基準光量に達した時点で光量判定信号を出力する光量判定手段と、
前記光量測定信号に基づいて、前記投射色のうちのいずれか一つの色に対応する前記光量測定信号の周期を検出し周期検出信号を出力する周期検出手段と、
前記周期検出信号の信号レベルの遷移タイミングに同期して露光開始命令を出力し、前記光量判定信号の出力時点を経過した直後における周期検出信号の信号レベルの遷移タイミングに同期して露光終了命令を出力する制御手段と、
を備えたことを特徴とする撮像装置。
【請求項２】
少なくともＲＧＢの３原色を含む投射色を周期的に順次切換える色順次式プロジェクタから投影されたスクリーンからの反射光を光学的に取得する撮像装置であって、
露光開始命令の出力を指示する指示手段と、
前記スクリーンからの反射光の光量を測定し光量測定信号を出力する光量測定手段と、
前記光量測定信号に基づいて前記スクリーンからの反射光の光量を撮影開始後から積分し、その積分光量値が予め定められた基準光量値に達したか否かを判定し、前記積分光量値が当該基準光量に達した時点で光量判定信号を出力する光量判定手段と、
前記光量測定信号に基づいて、前記投射色の周期を検出して前記指示手段からの露光開始命令時に対応する周期で周期検出信号を出力する周期検出手段と、
前記光量判定信号の出力時点を経過した直後における周期検出信号の信号レベルの遷移タイミングに同期して露光終了命令を出力する制御手段と、
を備えたことを特徴とする撮像装置。
【請求項３】
前記光量測定手段は、ストロボ発光制御用の調光センサであることを特徴とする請求項１又は２に記載の撮像装置。
【請求項４】
少なくともＲＧＢの３原色を含む投射色を周期的に順次切換える色順次式プロジェクタから投影されたスクリーンからの反射光を受けて画像を得る撮像装置の撮像方法であって、
前記スクリーンからの反射光の光量を測定し、
前記測定された光量から前記投射色のうちのいずれか一つの色に対応する周期を検出し、
撮影開始後から前記測定された光量を積算し、その積分光量値が予め定められた基準光量値に達したか否かを判定し、  前記いずれか一つの色に対応する周期に同期して露光を開始させ、前記基準光量値に達した直後における該いずれか一つの色に対応する周期に同期して露光を終了させることを特徴とする撮像方法。
【請求項５】
少なくともＲＧＢの３原色を含む投射色を周期的に順次切換える色順次式プロジェクタから投影されたスクリーンからの反射光を受けて画像を得る撮像装置のコンピュータに、
前記スクリーンからの反射光の光量を測定して出力するステップと、
前記測定された光量から前記投射色のうちのいずれか一つの色に対応する周期を検出するステップと、
撮影開始後から前記測定された光量を積算し、その積分光量値が予め定められた基準光量値に達したか否かを判定するステップと、
前記いずれか一つの色に対応する周期に同期して露光を開始させ、前記基準光量値に達した直後における該いずれか一つの色に対応する周期に同期して露光を終了させるステップと、
を実現させるプログラム。
【請求項６】
少なくともＲＧＢの３原色を含む投射色を周期的に順次切換える色順次式プロジェクタと、このプロジェクタから投影されたスクリーンからの反射光を光学的に取得する撮像装置を含むプロジェクタシステムであって、
前記撮像装置は、前記スクリーンからの反射光の光量を測定し光量測定信号を出力する光量測定手段と、
前記光量測定信号に基づいて前記スクリーンからの反射光の光量を撮影開始時点を基準として積分し、その積分光量値が予め定められた基準光量値に達したか否かを判定し、前記積分光量値が当該基準光量に達した時点で光量判定信号を出力する光量判定手段と、
前記光量測定信号に基づいて、前記投射色のうちのいずれか一つの色に対応する前記光量測定信号の周期を検出し周期検出信号を出力する周期検出手段と、
前記周期検出信号の信号レベルの遷移タイミングに同期して露光開始命令を出力し、前記光量判定信号の出力時点を経過した直後における周期検出信号の信号レベルの遷移タイミングに同期して露光終了命令を出力する制御手段と、
を備えたことを特徴とするプロジェクタシステム。
【請求項７】
少なくともＲＧＢの３原色を含む投射色を周期的に順次切換える色順次式プロジェクタと、このプロジェクタから投影されたスクリーンからの反射光を光学的に取得する撮像装置を含むプロジェクタシステムであって、
露光開始命令の出力を指示する指示手段と、
前記スクリーンからの反射光の光量を測定し光量測定信号を出力する光量測定手段と、
前記光量測定信号に基づいて前記スクリーンからの反射光の光量を撮影開始時点を基準として積分し、その積分光量値が予め定められた基準光量値に達したか否かを判定し、前記積分光量値が当該基準光量に達した時点で光量判定信号を出力する光量判定手段と、
前記光量測定信号に基づいて、前記投射色の周期を検出して前記指示手段からの露光開始命令時に対応する周期で周期検出信号を出力する周期検出手段と、
前記光量判定信号の出力時点を経過した直後における周期検出信号の信号レベルの遷移タイミングに同期して露光終了命令を出力する制御手段と、
を備えたことを特徴とするプロジェクタシステム。
【発明の詳細な説明】
【技術分野】
【０００１】
本発明は、撮像装置、撮像方法、プログラム、及びプロジェクタシステムに関する。
【背景技術】
【０００２】
従来、色を高速に切り替えて順に投影することで混ざって知覚させる色順次式投射型プロジェクタがある。例えば、色順次式投射型プロジェクタの例としては、図３に示すようにカラーホイールとＤＭＤ（Digital  Micromirror  Device）素子を用いて構成されたものがある。
【０００３】
図３（ａ）は、特に図示しない制御部により制御されるプロジェクタの構成についての概略を示す図である。
先ず、白色光源５０から発せられた光は光路上に備えられたカラーホイール５１を透過する。カラーホイール５１は、図３（ｂ）に示すとおり、円盤にＲ（赤色）、Ｇ（緑色）、Ｂ（青色）、Ｗ（白／透明）のフィルタを取り付けたものであり、特に図示しない軸着されるモータなどでフレームレートあるいはその整数倍で回転させることにより、白色光源５０からの光がカラーホイール５１を透過する際に時間的に色を変化させる。
カラーホイール５１を透過した光は、集光ロッド５２により集光されてＤＭＤ５３に照明される。ＤＭＤ５３は、長方形の中の半導体素子上に、微細なミラーエレメントを敷き詰め、１枚のパネル上に形成されたものであり、ミラーひとつひとつが傾斜角度を変え、白色光源５０から照明された光の投影レンズ５４への投射をオン／オフする。よって、ＤＭＤ５３によりオンされ投影レンズ５４から投射される光が特に図示しないスクリーン上に投影画像を描く。
そして、上述した色順次式のプロジェクタにおいては、より鮮明な投影画像を得るため、カラーホイール５１の回転を検出する技術などが公知である（特許文献１を参照）。
【０００４】
また、従来、被写体からの光を受光して画像を得るカメラ（撮像装置）には、被写体からの光量を検出する調光センサが設けられている。このようなカメラにおいては、適切に露光された画像を得るため、シャッター解放時にこの調光センサからの出力を積分し、所定の値になったところでシャッターを閉じるなどの露光制御、又はストロボから被写体への発光制御が行われている。
【特許文献１】特開平９−１２７４３７号公報
【発明の開示】
【発明が解決しようとする課題】
【０００５】
しかしながら、上記カメラ（撮像装置）を用いて色順次式のプロジェクタの投影画像を撮影する場合は、フレームの整数倍の時間で露光しなければ正確な色調の撮像画像を得ることができず、得られる撮像画像が不安定なものとなる問題があった。また、上記カラーホイール５１の回転を検出する公知技術を単純に用いた構成では、適正な露光時間を得ることができなかった。
【０００６】
そこで、本発明の課題は、色が周期的に変動する被写体の撮影時に正確な色調で適正に露光した撮像画像を得ることができる撮像装置を提供することである。
【課題を解決するための手段】
【０００７】
上記課題を解決するために、請求項１に記載の発明は、少なくともＲＧＢの３原色を含む投射色を周期的に順次切換える色順次式プロジェクタから投影されたスクリーンからの反射光を光学的に取得する撮像装置であって、前記スクリーンからの反射光の光量を測定し光量測定信号を出力する光量測定手段と、前記光量測定信号に基づいて前記スクリーンからの反射光の光量を撮影開始後から積分し、その積分光量値が予め定められた基準光量値に達したか否かを判定し、前記積分光量値が当該基準光量に達した時点で光量判定信号を出力する光量判定手段と、前記光量測定信号に基づいて、前記投射色のうちのいずれか一つの色に対応する前記光量測定信号の周期を検出し周期検出信号を出力する周期検出手段と、前記周期検出信号の信号レベルの遷移タイミングに同期して露光開始命令を出力し、前記光量判定信号の出力時点を経過した直後における周期検出信号の信号レベルの遷移タイミングに同期して露光終了命令を出力する制御手段と、を備えたことを特徴とする。
更に、上述した請求項１に記載の発明に示した撮像方法、コンピュータに対してその主要機能を実現させるためのプログラム、及び撮像装置を含むプロジェクタシステムを提供する（請求項４、５、６に記載の発明）。
【０００８】
請求項２に記載の発明は、少なくともＲＧＢの３原色を含む投射色を周期的に順次切換える色順次式プロジェクタから投影されたスクリーンからの反射光を光学的に取得する撮像装置であって、露光開始命令の出力を指示する指示手段と、前記スクリーンからの反射光の光量を測定し光量測定信号を出力する光量測定手段と、前記光量測定信号に基づいて前記スクリーンからの反射光の光量を撮影開始後から積分し、その積分光量値が予め定められた基準光量値に達したか否かを判定し、前記積分光量値が当該基準光量に達した時点で光量判定信号を出力する光量判定手段と、前記光量測定信号に基づいて、前記投射色の周期を検出して前記指示手段からの露光開始命令時に対応する周期で周期検出信号を出力する周期検出手段と、前記光量判定信号の出力時点を経過した直後における周期検出信号の信号レベルの遷移タイミングに同期して露光終了命令を出力する制御手段と、を備えたことを特徴とする。
更に、上述した請求項２に記載の発明に示した撮像装置を含むプロジェクタシステムを提供する（請求項７に記載の発明）。
【０００９】
請求項３に記載の発明は、請求項１又は２に記載の発明において、前記光量測定手段は、ストロボ発光制御用の調光センサであることを特徴とする。
【発明の効果】
【００１０】
請求項１、４、５、６に記載の発明によれば、いずれか１つの色の周期的な変化を検出し、それを元に露光を開始させ、適正露光後に上記検出された周期的な変化に応じて露光を終了させる構成であるため、正確な色調で適正に露光した撮像画像を得ることができる。
撮影時における適正露光時のシャッター制御を、色が周期的に変動する被写体の光量の変化を元に撮影開始と終了とを同調させて行う構成であるため、正確な色調で適正に露光した撮像画像を得ることができる。例えば、色順次式のプロジェクタの投影画像の露光を正確に行うことができる。
【００１１】
請求項２、７に記載の発明によれば、適正露光後に撮影開始時における色のタイミングと同期して露光を終了させる構成であるため、撮影開始時にタイムラグを生じさせることなく、正確な色調で適正に露光した撮像画像を得ることができる。
【００１２】
請求項３に記載の発明によれば、従来からあるストロボ制御用の調光センサを用いる構成であるため、従来の装置構成を有効に活用して正確な色調の撮像画像を得ることができる。
【発明を実施するための最良の形態】
【００１３】
以下、図面を参照して、本発明の実施の形態を詳細に説明する。
先ず、本実施の形態における撮像装置１の外観について図１（ａ）を参照して説明する。
【００１４】
撮像装置１は、前面にレンズ光学系２２、ストロボ部１２、及び調光センサ１１を備える。レンズ光学系２２は、被写体からの光を後述するＣＣＤ２３上で結像させるためのレンズである。ストロボ部１２は、後述するＣＰＵ３２により制御され、特に図示しない電荷を蓄積するコンデンサ、及びそのコンデンサを充電する充電回路と、キセノン管などからなる発光体とを備え、被写体に発光タイミングや発光量が調節されたストロボ光を照射する。
調光センサ１１は、ストロボの発光制御を行うため、被写体からの反射光ＬＩＮを受光してその光量を光量測定信号である出力ＡとしてＣＰＵ３２に出力するＳＰＣ（Silicon  Photo  Cell）などである。なお、調光センサ１１は、上述のＳＰＣなどの受光素子により撮像光学系の受光部であるＣＣＤ２３とは別に備える構成であってもよいし、ＣＣＤ２３から得られた信号を用いる構成であっても良い。また、上述したＳＰＣにＲＧＢのいずれかの色のフィルタを設け、そのフィルタの色における光量を検出する構成であってもよい。
【００１５】
次に、撮像装置１の回路構成を図２に示す。撮像装置１は、モータ（Ｍ）２１、レンズ光学系２２、ＣＣＤ２３、ＴＧ２４、垂直ドライバ２５、Ｓ／Ｈ２６、Ａ／Ｄ２７、カラープロセス回路２８、ＤＭＡコントローラ２９、ＤＲＡＭＩ／Ｆ３０、ＤＲＡＭ３１、ＣＰＵ３２、ＶＲＡＭコントローラ３３、ＶＲＡＭ３４、デジタルビデオエンコーダ３５、キー入力部３６、ＪＰＥＧ回路３７、フラッシュメモリ３８、通信部３９、手ブレ検出センサ４０、調光センサ１１、ストロボ部１２、及び表示部１３により構成される。
【００１６】
モータ（Ｍ）２１は、ＣＰＵ３２から入力される制御信号に従って駆動し、レンズ光学系２２の絞り位置を移動させる。
【００１７】
ＣＣＤ２３は、撮像素子が平面上（２次元）に配列された構造を有し、光入力を電気信号に変換して蓄積する光電変換部、蓄積された電荷を読み出す走査部、電気信号として出力する出力部により構成され、撮影モードのモニタリング状態において、ＴＧ２４、垂直ドライバ２５によって駆動される。
また、ＣＣＤ２３は、ＣＰＵ３２からの撮影指示（露光許可）である露光開始命令Ｅに基づいて光入力による電荷の蓄積を開始し、撮影終了（露光終了）指示である露光終了命令Ｆにより蓄積された電荷を出力する、いわゆる電子シャッターの機能を有する。
【００１８】
ＣＣＤ２３の出力部から出力された電気信号は、アナログ値の信号の状態でＲＧＢの各原色成分毎に適宜ゲイン調整され、Ｓ／Ｈ２６（サンプルホールド回路）は、このゲイン調整された信号をサンプルホールドする。Ａ／Ｄ２７は、Ｓ／Ｈ２６から出力されたアナログ信号をデジタル信号に変換し、カラープロセス回路２８に出力する。
【００１９】
カラープロセス回路２８は、Ａ／Ｄ２７から出力されたデジタル信号に対して画素補完処理及びγ補正処理を含むカラープロセス処理を施し、デジタル値の輝度信号Ｙ及び色差信号Ｃｂ、Ｃｒを生成し、ＤＭＡコントローラ２９に出力する。
【００２０】
ＤＭＡコントローラ２９は、カラープロセス回路２８から出力された輝度信号Ｙ及び色差信号Ｃｂ、Ｃｒを、同じくカラープロセス回路２８から出力された複合同期信号、メモリ書込みイネーブル信号及びクロック信号を用いて一度ＤＭＡコントローラ２９内部のバッファに書込み、ＤＲＡＭＩ／Ｆ３０を介してバッファメモリとして使用されるＤＲＡＭ３１にＤＭＡ転送を行う。
【００２１】
ＣＰＵ３２（Central  Processing  Unit）は、制御部３２ａ、光量判定部３２ｂ、周期検出部３２ｃを備え、各部に制御信号を送って撮像装置１の動作全般を統括制御する。
制御部３２ａは、図示しない演算処理部、内部ＲＡＭ（Random  Access  Memory）、ＲＯＭ（Read  Only  Memory）などを備えて構成され、演算処理部において、内部ＲＡＭの所定領域を作業領域としてＲＯＭに記憶されている各種制御プログラムに従い、撮像装置１の各部を統括制御する回路から構成される。
具体的には、制御部３２ａは、後述するキー入力部３６からの撮影指示や周期検出信号Ｄに従い露光開始命令Ｅを出力して露光を開始させ、光量判定信号Ｃ、周期検出信号Ｄに基づいて露光終了命令Ｆを出力することで露光を終了させる。
【００２２】
光量判定部３２ｂは、調光センサ１１からの出力Ａを図示しないコンデンサで積算して電圧に変換し、この電圧を測定して基準光量ＲＥＦ以上と判定され、適正露出に達したところで光量判定信号Ｃを出力する回路から構成される。
【００２３】
周期検出部３２ｃは、調光センサ１１からの出力Ａの値が所定の閾値以上である場合に周期検出信号Ｄを制御部３２ａに出力することで、被写体からの光量の変動を検出する回路から構成される。なお、ＣＰＵ３２は、調光センサ１１から出力される光電流の変化量が所定の閾値以上である場合に周期検出信号Ｄを出力する構成であってもよい。
【００２４】
また、周期検出部３２ｃは、露光開始命令Ｅが入力された時点から直近の出力Ａが所定の閾値以上となる時点までの時間を計時し、周期的に計測される閾値以上となる時点からその計時された時間後に周期検出信号Ｄを出力する構成であっても良い。
この場合は、露光開始命令Ｅの入力時における色に合わせて周期検出信号Ｄを出力することができる。
【００２５】
ＶＲＡＭコントローラ３３は、ＣＰＵ３２の制御により、ＤＲＡＭ３１に一時記憶されている画像データ（輝度信号Ｙ及び色差信号Ｃｂ、Ｃｒ）を、ＤＲＡＭ３１からＤＲＡＭＩ／Ｆ３０を介して読み出し、ＶＲＡＭ３４に書き込む。また、再生モード時、ＣＰＵ３２により伸長された画像データをＶＲＡＭ３４に展開して記憶させる。
【００２６】
デジタルビデオエンコーダ３５は、ＶＲＡＭ３４に記憶されている画像データを、ＶＲＡＭ３４からＶＲＡＭコントローラ３３を介して定期的に読み出し、これらのデータを元にビデオ信号を生成して表示部１３に出力する。
【００２７】
キー入力部３６は、電源キー、シャッターキー、モードスイッチ、メニューキー、及び十字キー等の各種キーにより構成され、それらのキー操作に応じた信号をＣＰＵ３２に出力する。キー入力部３６のシャッターキーは、２段階のストロークで動作し、一般的に「半押し」と表現されている第１段階の操作状態でＡＥ（自動露光）処理やＡＦ（オートフォーカス）処理を始めとする撮影の準備を行い、一般的に「全押し」と表現されている、より強く押圧操作した第２段階の操作状態で撮影を実行する。
【００２８】
ＪＰＥＧ回路３７は、ＣＣＤ２３から取り込まれ、ＤＲＡＭ３１に一時的に記憶されている画像信号を、ＡＤＣＴ（Adaptive  Discrete  Cosine  Transform：適応離散コサイン変換）、エントロピー符号化方式であるハフマン符号化などの処理によりデータ圧縮する。
【００２９】
フラッシュメモリ３８は、撮像装置１の記録媒体として着脱自在に装着されるメモリーカード内に封入された不揮発性メモリであり、ＪＰＥＧ回路３７により符号化された画像信号が記録される。なお、フラッシュメモリ３８は、撮像装置１に内蔵されてもよい。
【００３０】
通信部３９は、外部機器とケーブルを介したデータ通信を行うためのインターフェースを備える。例えば、通信部３９は、ＩＥＥＥ１３９４やＵＳＢ（Universal  Serial  Bus）等により通信を行うためのインターフェースを備える。なお、外部機器と無線通信手段により通信可能としてもよい。
【００３１】
手ブレ検出センサ４０は、加速度センサ等であり、撮影時の手ぶれ量を検出してＣＰＵ３２に出力する。そして、ＣＰＵ３２は、その手ぶれ量を元に撮像された画像の補整を行う。
【００３２】
表示部１３は、ＬＣＤ（Liquid  Crystal  Display）パネル等により構成され、撮影モード時にはモニタ表示部（電子ファインダ）として機能し、デジタルビデオエンコーダ３５からのビデオ信号に基づいた表示を行うことで、その時点でＶＲＡＭコントローラ３３から取り込んでいる画像情報に基づくスルー画像をリアルタイムに表示する。また、表示部１３は、ＣＰＵ３２からの画像信号に基づいた各種情報画面を表示する。
【００３３】
次に、色順次式プロジェクタの投影画面を撮影する場合におけるＣＰＵ３２による露光制御の概略を図１（ｂ）、及び図４を参照して説明する。
【００３４】
図１（ｂ）は、露光制御に関する装置構成の概略を示す図である。調光センサ１１からの出力Ａは、光量判定部３２ｂと周期検出部３２ｃとに入力され、被写体からの光量が適正であることを示す光量判定信号Ｃ、及び光量の変動を示す周期検出信号ＤとしてＣＰＵ３２に出力される。ＣＰＵ３２は、それらの信号を元にＶＲＡＭコントローラ３３における露光を制御し、そのＶＲＡＭコントローラ３３で得られた画像信号をデジタル信号としてカラープロセス回路２８から出力させる。
【００３５】
ここで、図４（ａ）に調光センサ１１から出力される光電流である出力Ａに関するグラフを示す。図４（ａ）は、縦軸に調光センサ１１からに出力、横軸に時刻をとり、時間の経過に伴う出力の変化を示すグラフである。このグラフに示すように、調光センサ１１からの出力は、Ｗ、Ｒ、Ｇ、Ｂから構成される４色順次式プロジェクタの投影画面の変遷に合わせて変化し、ここで示した例ではＷの時に最大の出力となる。
【００３６】
先ず、調光センサ１１からの出力Ａ（図４（ａ）を参照）は、光量判定部３２ｂと周期検出部３２ｃとに入力される。図４（ａ）は、調光センサ１１からの出力と時間との関係を示すグラフであり、Ｗ、Ｒ、Ｇ、Ｂから構成される４色順次式プロジェクタの投影画面からの光を調光センサ１１で検出した場合の出力を示す。
【００３７】
なお、図４（ａ）に示す調光センサ１１からの出力Ａに基づく周期検出部３２ｃでの光量の変動の検出は、所定の閾値によりＷを検出する構成でもよいが、Ｒ、Ｇ、Ｂのいずれの周期を検出する構成であってもよい。また、調光センサ１１からの出力を元に予め算出される予想露光時間内において周期的に現れるピークを検出する構成であってもよい。
【００３８】
次に、上述の図４（ａ）に示した調光センサ１１の出力に基づいたＶＲＡＭコントローラ３３における露光制御のタイミングチャートを図４（ｂ）に示す。図４（ｂ）は、カラーホイールにより白色（Ｗ）が投影されたスクリーンからの光を受光して周期検出部３２ｃからＨｉ信号が検出されている時刻ｔ１から撮影が開始され、時刻ｔ２で光量判定部３２ｂにより適正露光が検出された直後の白色の投影時である時刻ｔ３に露光を終了させるＣＰＵ３２の制御を示す図である。
【００３９】
図４（ｂ）に示すように、撮像装置１は、光量判定部３２ｂで適正露光を検出した後に、周期検出部３２ｃにより検出される色順次式プロジェクタから投影される色の変動を元に撮影開始時と同期して露光を終了させるため、Ｗ、Ｒ、Ｇ、及びＢの各色を均等に露光させることができ、正確な色調で適正に露光された画像を得ることができる。このため、特に露光時間が色順次式プロジェクタなどによる色の変動周期に近づいた場合においても正確に露光させることができる。
【００４０】
＜実施例１＞
次に、実施例１として、ＣＰＵ３２による本発明を適用した撮像処理について図５に示すフローチャートを参照して説明する。
【００４１】
先ず、ＣＰＵ３２は、キー入力部３６からのユーザからのシャッター操作による撮像指示を受け付け（ステップＳ１１）、電子シャッターの場合はＣＣＤ２３による撮像を開始、又は機械式シャッターを備える場合はシャッターを開放による撮影を開始し（ステップＳ１２）、周期検出部３２ｃで所定の閾値との時間差による撮影開始時の色変動のタイミングの検出、及び周期検出信号Ｄの制御部３２ａへの出力と光量判定部３２ｂで出力の積算とを行う（ステップＳ１３）。
【００４２】
ステップＳ１３の後、調光センサ１１からの出力の積分値が光量判定部３２ｂにより検出され、適正露光として予め設定されている基準光量ＲＥＦに達するまで待機される（ステップＳ１４）。なお、ここにおける予め設定される基準光量ＲＥＦは、レンズ光学系２２の性能などにより工場出荷時に設定され、キー入力部３６からの操作によりユーザの好みに調整される。
【００４３】
ステップＳ１４で基準光量ＲＥＦに達したと判定された後（ステップＳ１４：ＹＥＳ）、周期検出部３２ｃで色変動による周期的な信号である周期検出信号Ｄを検出しているか否かが判定され（ステップＳ１５）、色順次式のプロジェクタによる投影画像の撮影ではなく、周期検出信号Ｄが検出されない場合（ステップＳ１５：ＮＯ）、そのままシャッターが閉じられ（ステップＳ１７）、ＣＣＤ２３により得られた画像データが出力される（ステップＳ１８）。
【００４４】
ステップＳ１５において、周期検出信号Ｄを検出している場合（ステップＳ１５：ＹＥＳ）、撮影開始時の色変動のタイミング（同位相）まで待機された後（ステップＳ１６：ＹＥＳ）、露光終了命令Ｆの出力により撮影が終了され（ステップＳ１７）、画像データが出力される（ステップＳ１８）。
【００４５】
以上のように、撮像装置１は、調光センサ１１からの出力を光量判定部３２ｂ、周期検出部３２ｃで監視することで色変動に合わせた適正な露光制御を行うことができ、例えば、色順次式プロジェクタの投影画像などの撮影時においても、正確な色調で適正に露光された画像を得ることができる。
【００４６】
＜実施例２＞
次に、実施例２として、ＣＰＵ３２が行う、シャッター操作での撮影指示後に周期検出部３２ｃからの周期検出信号Ｄに応じて撮影を開始する撮像処理について図６に示すフローチャートを参照しながら説明する。
【００４７】
先ず、ＣＰＵ３２は、調光センサ１１からの出力Ａの監視を開始し（ステップＳ２１）、シャッター操作による撮影開始の指示を受け付ける（ステップＳ２２）。そして、ステップＳ２２による撮影開始の指示の後、周期検出部３２ｃにより、例えば白色（Ｗ）などの周期に合わせて出力される周期検出信号Ｄのタイミングまで待機されて（ステップＳ２３）、露光開始命令Ｅを出力することでシャッターが開放される（ステップＳ２４）。
【００４８】
ステップＳ２４の後、光量判定部３２ｂからの適正露光を示す光量判定信号Ｃが出力されるまで待機され（ステップＳ２５）、適正な露光値となった後（ステップＳ２５：ＹＥＳ）は、周期検出部３２ｃから周期検出信号Ｄが出力されるタイミングまで待機された後（ステップＳ２６）、露光終了命令Ｆが出力されることでシャッターが閉じられ（ステップＳ２７）、画像が出力される（ステップＳ２８）。
【００４９】
以上のように、実施例２における撮像装置１は、撮影の開始を周期検出部３２ｃの周期検出信号Ｄに合わせ、撮影の終了を適正露光後の周期検出部３２ｃの周期検出信号Ｄに合わせるという構成であり、色変動による同期を周期検出信号Ｄの検出で行う単純な構成で正確な色調の露光制御を行うことができる。
【００５０】
＜実施例３＞
次に、実施例３として、前記実施例１、２で説明した撮像装置１と図３で説明したプロジェクタと同等のプロジェクタ１００とを組み合わせたプロジェクタシステムの例を図７に示す。
【００５１】
このプロジェクタシステムは、撮像装置１とプロジェクタ１００とをＰＣ２００を介して互いに通信可能に接続したものであり、撮像装置１で撮像した資料等をプロジェクタ１００でスクリーンや白板に投影することができる構成である。したがって、このプロジェクタシステムは、投影画像を上述した撮像装置１で撮像することにより、実際に投影した映像の保存や投影画像に合わせて実際に白板に書き込まれた文字等も含めた画像を適正に露光して撮像することができる。また、プロジェクタ１００においては、適正に撮像された投影画像を利用することができるため、投影画像を検出した台形補正やフォーカス補正などの画像調整をより正確にすることができる。
【００５２】
なお、本発明は、上記実施の形態に限定されるものではない。例えば、カメラは携帯電話やＰＤＡ（Personal Digital Assistant）に設けられたものであってよい。
また、色順次式プロジェクタに内蔵され、特許文献１に記載の技術などによりカラーホイールの回転を検出して周期検出部３２ｃにより露光のタイミングを測る構成であってもよい。更に、上述のプロジェクタに内蔵される構成に限らず、ＵＳＢなどの通信手段により色順次式のプロジェクタにおけるカラーホイールの回転の検出を通信部３９に通知する構成であってもよい。
【００５３】
また、本実施の形態では、ステップＳ１８、Ｓ２８においてＣＣＤ２３から画像データを出力する構成を備え、撮像装置１がデジタルカメラであるものとしたが、特に限定するものではなく、フイルムカメラであり、銀塩フィルムへの露光を制御するものであってもよい。
その他、本発明は、発明の趣旨を逸脱しない範囲内で自由に変更、改良が可能である。
【図面の簡単な説明】
【００５４】
【図１】（ａ）は、本発明を適用した撮像装置１の正面外観を示す図であり、（ｂ）は、撮像装置１のＣＰＵ３２による露光制御の概略を示す図である。
【図２】撮像装置１の機能的構成を模式的に示すブロック図である。
【図３】（ａ）は、色順次式のプロジェクタの構成を示す概略図であり、（ｂ）は、カラーホイール５１のフィルタ構成を示す図である。
【図４】（ａ）は、色順次式プロジェクタによる投影画像を調光センサ１１で受光した際の時間の経過に伴う出力の変化を示すグラフであり、（ｂ）は、露光制御のタイミングチャートを示す図である。
【図５】実施例１における露光の制御処理を説明するフローチャートである。
【図６】実施例２における露光の制御処理を説明するフローチャートである。
【図７】実施例３におけるプロジェクタシステムの構成を示すブロック図である。
【符号の説明】
【００５５】
１  撮像装置
１１  調光センサ
１２  ストロボ部
１３  表示部
２１  モータ（Ｍ）
２２  レンズ光学系
２３  ＣＣＤ
２４  ＴＧ
２５  垂直ドライバ
２６  Ｓ／Ｈ
２７  Ａ／Ｄ
２８  カラープロセス回路
２９  ＤＭＡコントローラ
３０  ＤＲＡＭＩ／Ｆ
３１  ＤＲＡＭ
３２  ＣＰＵ
３２ａ  制御部
３２ｂ  光量判定部
３２ｃ  周期検出部
３３  ＶＲＡＭコントローラ
３４  ＶＲＡＭ
３５  デジタルビデオエンコーダ
３６  キー入力部
３７  ＪＰＥＧ回路
３８  フラッシュメモリ
３９  通信部
４０  手ブレ検出センサ
１００  プロジェクタ
２００  ＰＣ
【図１】
2006186723.tif 000003
【図２】
2006186723.tif 000004
【図３】
2006186723.tif 000005
【図４】
2006186723.tif 000006
【図５】
2006186723.tif 000007
【図６】
2006186723.tif 000008
【図７】
2006186723.tif 000009